(57)【要約】【課題】テープロールからテープを引き出し過ぎてしまった場合でも、引き出したテープの長さを規定の寸法に合わせることが容易にできるテープカッターを提供する。【解決手段】回動可能に支持された揺動アーム１７に大径ギヤ２１を一体に形成したテープホルダ１８を回動可能に設け、回転蓄力手段２２に連結された小径ギヤ２６を前記大径ギヤ２１とかみ合い係合させるように揺動アーム１７をバネ付勢させ、テープロール１０からテープを引き出す際に回転蓄力手段２２に回転力を畜力させてテープホルダ１０を逆方向に回転付勢させるとともに、テープ切断操作により大径ギヤ２１と小径ギヤ２６が離反するように前記揺動アーム１７を回動させるように構成して、テープの切断と同時に前記回転蓄力手段２２の蓄力を開放させる。【選択図】      図３
2004189444.tif 000002
【特許請求の範囲】
【請求項１】
粘着テープ等のテープを巻回したテープロールを装着するテープホルダと、該テープホルダに装着されたテープロールから引き出されたテープを切断する切断機構及び、テープホルダから切断機後部を経由してテープの引き出し方向に沿って配置されたテープガイドとを備えるとともに、テープカッター本体に回動可能に支持された揺動アームの一端に前記テープホルダを回動可能に設けるとともに前記テープホルダに大径ギヤを一体に形成し、テープカッター本体に回転蓄力手段を設けるとともに該回転蓄力手段に連結された小径ギヤを前記大径ギヤとかみ合い係合させるように前記揺動アームをバネ付勢させ、テープ切断操作により前記大径ギヤと小径ギヤが離反するように前記揺動アームを前記バネ付勢力に抗して回動させるように構成して、前記テープロールからテープを引き出す際に前記回転蓄力手段に回転力を畜力させてテープホルダを逆方向に回転付勢させるとともに、テープの切断と同時に前記回転蓄力手段の蓄力を開放させるようにしたことを特徴とするテープカッター。
【請求項２】
テープの引き出し方向に沿って間隔を隔てて一対の切断刃を配置するとともに、該切断刃の前後及び両切断刃の間に上端面が前記切断刃より上方に突出位置に付勢された押え板を各々独立して摺動可能に配置し、前記一対の切断刃の形状を任意に形成することによりテープの切断端縁を任意形状に形成できるようにしたことを特徴とする請求項１に記載のテープカッター。
【請求項３】
前記揺動アームに支持されたテープホルダに形成された大径ギヤと蓄力手段に連携された小径ギヤとが離反した状態に維持されるように、前記揺動アームを前記バネ付勢力に抗して回動させた状態に維持する切換機構を設けたことを特徴とする請求項１または請求項２に記載のテープカッター。
【発明の詳細な説明】
【０００１】
【発明の属する技術分野】
本発明は、粘着テープ等が巻回されたテープロールから、任意の所定長さにテープを引き出して切断することのできるテープカッターに関する。
【０００２】
【従来の技術】
従来、片面に接着剤層が形成されたセロファンテープ等の粘着テープまたは接着剤層が形成されていない包装用リボン等のテープを使用するには、これらのテープを巻回したテープロールをテープカッター本体に回転自在に保持させ、テープロールに巻回されているテープの端部をテープロールから引き出してテープカッター本体に形成されている切断刃にテープを押圧させることによって切断して使用するようにしている。例えば、封筒の封緘に使用する場合には封筒の幅寸法と一致した所定の長さでテープを切断する必要があるが、上記のテープカッターでは必要な長さに一致した粘着テープをテープロールから引き出して正確に必要な長さで切断するのが難しく、長すぎたり短すぎたりする場合が多い。
【０００３】
テープロールに巻回されたテープを決められた規定長さに切断するため、従来のテープカッターでは、テープカッターの切断刃を設けているテープ端保持部にスケールを取り付けて、このスケールに封筒のサイズ等に対応したテープの引き出し長さを規定するための印字を形成して、テープの引き出し方向に沿ってスライド可能なこのスケールをテープの切断長さに対応した任意の位置で固定するようにして、切断刃の位置から水平方向にスケールを配置することにより、テープ端をスケールの端部に形成されたストッパ片に当たるまでテープをテープロールから引き出して切断することによって、所定の長さに規定されたテープを切断できるようにしている。（例えば、特許文献１参照）。
【０００４】
【特許文献１】
実開平５−７５２５１号公報
【０００５】
【発明が解決しようとする課題】
上記従来技術等の一般のテープカッターでは、テープロールを保持しているテープホルダがテープカッター本体に形成された溝部に回転自在に保持されているので、テープホルダ自体の回転が自由であり、また、セロファンテープ等の粘着テープにおいてはテープをテープロールから引き出す際の抵抗が均一でなく、これらによりテープ端を手で摘んだ状態でテープロールから引き出す際にテープを余分に引き出してしまうことがある。上記従来のテープカッターでは、一端余分に引き出してしまったテープはテープホルダ側に巻き戻すことができず、切断後または貼り付けた後で挟み等により切断する必要があり、作業が煩わしくなってしまうことがある。
【０００６】
更に上記従来のテープカッターでは、上端に鋸歯状の歯が形成された直線状の一枚の切断刃にテープを押しつけることによってテープを長手方向と直角に直線状に切断するようにしており、例えば包装用の表面に絵柄が印刷された粘着テープやリボン等においては意匠的な美観に乏しく、さらに摩擦低減のために商品に貼付するテフロン(登録商標)テープ等に使用する場合には、商品に貼付した後で切断端の角部から剥がれやすくなってしまい使用することができないという問題がある。
【０００７】
本発明は、上記従来技術における問題点を解決して、テープロールからテープを引き出し過ぎてしまった場合でも、引き出したテープの長さを規定の寸法に合わせることが容易にでき、しかも、切断によって形成されるテープ片の両切断端縁の形状を任意に形成することのできるテープカッターを提供することを課題とする。
【０００８】
【課題を解決するための手段】
上記課題を解決するため本発明のテープカッターは、粘着テープ等のテープを巻回したテープロールを装着するテープホルダと、該テープホルダに装着されたテープロールから引き出されたテープを切断する切断機構及び、テープホルダから切断機後部を経由してテープの引き出し方向に沿って配置されたテープガイドとを備えるとともに、テープカッター本体に回動可能に支持された揺動アームの一端に前記テープホルダを回動可能に設けるとともに前記テープホルダに大径ギヤを一体に形成し、テープカッター本体に回転蓄力手段を設けるとともに該回転蓄力手段に連結された小径ギヤを前記大径ギヤとかみ合い係合させるように前記揺動アームをバネ付勢させ、テープ切断操作により前記大径ギヤと小径ギヤが離反するように前記揺動アームを前記バネ付勢力に抗して回動させるように構成して、前記テープロールからテープを引き出す際に前記回転蓄力手段に回転力を畜力させてテープホルダを逆方向に回転付勢させるとともに、テープの切断と同時に前記回転蓄力手段の蓄力を開放させるようにしたことを特徴とする。
【０００９】
また、請求項２の発明は、テープの引き出し方向に沿って間隔を隔てて一対の切断刃を配置するとともに、該切断刃の前後及び両切断刃の間に上端面が前記切断刃より上方に突出位置に付勢された押え板を各々独立して摺動可能に配置し、前記一対の切断刃の形状を任意に形成することによりテープの切断端縁を任意形状に形成できるようにしたことを特徴とする。
【００１０】
更に、請求項３の発明は、前記揺動アームに支持されたテープホルダに形成された大径ギヤと蓄力手段に連携された小径ギヤとが離反した状態に維持されるように、前記揺動アームを前記バネ付勢力に抗して回動させた状態に維持する切換機構を設けたことを特徴とする。
【００１１】
【発明の実施の形態】
以下、本発明の実施の形態を図に示す実施例に基づいて説明する。図に示す実施例のテープカッターは、片面に粘着剤層が形成されたテープ１１を環状の巻芯１２の外周面に巻回してなるテープロール１０を装着できるようにしたものである。図１乃至図４に示すようにテープカッターは、テープカッター本体を形成している水平に配置されるベース１３の両側縁に沿ってベース１３から垂直に立ち上がり形成された両側板１４が形成されており、ベース１３の下面側にはテープカッターをテーブル等の上に載置するための脚１５が取り付けられている。
【００１２】
前記中央上部において両側板１４間に架設されている支軸１６にＬ字形に形成された揺動アーム１７が中央部において回転自在に支持されて設けられており、この揺動アーム１７の後方側に向いた端部には前記テープロール１０を保持するテープホルダ１８が回動軸１９を介して回転自在に支持されており、該テープホルダ１８の一側面には前記回動軸１９から放射状に複数の支持板２０が取り付けられており、該支持板２０によって環状のテープロール１０の内周面を支持してテープロール１０がテープホルダ１８に取り付けられるようにしている。更に前記テープホルダ１８の外周面には大径ギヤ２１が形成されている。テープホルダ１８に装着したテープロール１０からテープを引き出すことによってテープホルダ１８が回転されて大径ギヤ２１が一体に回転されるようにされている。
【００１３】
前記一方の側板１４の内側には蓄力手段２２が配置されており、該蓄力手段２２は内部にゼンマイ２３を収容したゼンマイケース２４と外周側の端部がゼンマイケース２４に固定されたゼンマイ２３の内周側の端部に連結された回転軸２５により構成されており、ゼンマイケース２４が一方の側板１４の内側面に固定されて取り付けられている。前記回転軸２５が前記ゼンマイケース２４の中心部を貫通して両側板１４によって回転自在に支持されている。前記回転軸２５のゼンマイケース２４の外側には小径ギヤ２６が固定されておりこの小径ギヤ２６が前記テープホルダ１８に形成されている大径ギヤ２１と噛み合うように配置されている。図５にも示すように、前記テープホルダ１８を保持している揺動アーム１７の回動軸１９の端部と側板１４に形成されたピン２７との間に引張りバネ２８が張設されており、この引張りバネ２８の付勢力によって通常時には揺動アーム１７が前記支軸１６を中心として回動されて大径ギヤ２１が小径ギヤ２６と噛み合わせられている。従ってテープの引き出しによって回転される大径ギヤ２１の回転によって小径ギヤ２６を介して小径ギヤ２６を取り付けている回転軸２５を回転させてゼンマイ２３が巻き上げられてゼンマイ２３に回転力が畜力されるようにされている。
【００１４】
前記支軸１６にはテープロール１０から引き出したテープを誘導案内する直線状のテープガイド２９を保持するためのガイドホルダ３０が回転自在に支持されており、このガイドホルダ３０の前方に延びた端部にプラスチック材等の透明材料により形成されたテープガイド２９の一端側が取り付けられてテープガイド２９の他端側をテープカッターの前方へ向けて配置させている。テープガイド２９は長さの異なるテープガイド２９が選択的に装着できるように取付ネジ３１によってテープガイドに着脱可能に取り付けられている。
【００１５】
両側板１４の前端部の間にはテープロール１０から引き出されたテープを切断する切断機構３２が形成されている。この実施例の切断機構３２では図６に示すように切断後のテープ片Ｐの四隅が湾曲状にカットされた形状に切断できるように構成されている。図７及び図８に示すように、切断機構３２はテープの引き出し方向に沿って間隔を隔てて配置された２つの切断刃３３、３４と、該切断刃３３、３４の前方と後方の面に沿って配置されている前後の各押え板３５、３６及び両切断刃３３、３４の間に配置された中央押え板３７により構成されており、上端縁にテープを切断するための刃が形成された板状の両切断刃３３、３４はテープの引き出し方向と直交する方向の両端が湾曲状に形成されており、切断機構３２内に形成されたケース３８に固定されている。
【００１６】
切断刃３３、３４の前後及び中央に配置されている各押え板３５、３６、３７は各々が独立して上下動できるように前記ケース３８内に収容されており、それぞれの押え板３５、３６、３７の下方に配置されている押圧バネ３９により上方へ向けて突出するように付勢されている。各押え板３５、３６、３７の上端は前記切断刃３３、３４の刃先よりも上方に配置されており、前記テープガイド２９の下面に形成されているガイド溝４０の溝底部と当接できるように配置されている。更にテープガイド２９のガイド溝４０の前記切断刃３３、３４と対応した部分にはガイド溝４０の溝底より更に一段深い切断刃用の逃げ凹部４１、４２が形成されており、上記テープガイド２９のガイド溝４０に沿って配置されたテープをテープガイド２９とともに切断機構３２に押圧することにより、各押え板３５、３６、３７がテープを各切断刃３３、３４の前後でガイド溝４０の底面との間で狭持した状態で下方向に摺動して、切断刃３３、３４の刃先がテープガイド２９の逃げ凹部４１、４２へ進入することによってテープが切断される。
【００１７】
図６に示すように、所定長さで切り取られたテープ片Ｐと該テープ片Ｐが切り取られたテープロールから引き出されているテープ端Ｐ１との間には切り屑Ｐ２が発生し、この切り屑Ｐ２は中央の押え板３７の上面に貼付された状態で残される。テープロール１０から引き出されているテープ端Ｐ１は後押え板３６の上端面に貼付されてテープロール１０との間に張設される。
【００１８】
前記支軸１６に揺動可能に支持されているガイドホルダ３０には下方に延びている作動片４３が形成されており、前記テープの切断操作に伴うガイドホルダ３０の回動によってこの作動片４３が回動作動される。更に前記揺動アーム１７の下方に延びた端部に係合ピン４４が取り付けられており、前記作動片４３がこの係合ピン４４と係合できるように配置されている。図９、図１０に示すように、テープガイド２９に沿って引き出したテープを切断機構３２によって切断するためテープガイド２９を切断機構３２に押圧操作すると、ガイドホルダ３０が前記支軸１６を中心として回動して前記作動片４３が揺動アーム１７の係合ピン４４と係合して揺動アーム１７を前記支軸１６を中心として回動作動させる。揺動アーム１７が作動片４３によって回動されることによってテープホルダ１８が回動されて大径ギヤ２１が小径ギヤ２６と離反されるように作動する。
【００１９】
前記テープガイド２９にはテープロール１０から引き出したテープ端の引き出し位置を設定するためのストッパー４５が形成されている。図１０に示すように、ストッパー４５はテープガイド２９の下面に形成されているガイド溝４０内に配置されてテープロール１０から引き出したテープ端の位置を規定するストッパ片４６とこのストッパ片４６を支持しているストッパホルダ４７とから成っており、ストッパホルダ４７はテープガイド２９の長手方向の任意の位置でテープガイド２９に固定ネジ４８によって固定できるようにされている。図４に示すように、テープガイド２９には前記切断刃３４の位置を基準とした寸法目盛りＭが刻印されており、前記ストッパー４５をこの目盛りＭに合わせてスケールガイド２９に固定することによって、テープの切断片Ｐの長さを任意に設定することができる。
【００２０】
上記実施例のテープカッターによる所定長さのテープ片Ｐを切断する使用状態を説明する。図３に示すように、テープホルダ１８に装着されたテープロール１０から引き出されたテープの端部は切断機構部３２の後押え板３６の上面に粘着されて保持されており、テープホルダ１８の大径ギヤ２１は小径ギヤ２６と噛み合せられている。ストッパー４５を所定の長さ寸法の位置に固定した後に、側板１４の切欠き部から指を挿入してテープ端をテープガイド２９と一緒に把持してテープガイド２９をやや上方に回動させた状態でテープ端がストッパ片４６に突き当たるまでテープガイド２９のガイド溝４０に沿って引き出す。
【００２１】
上記のようにテープ端をテープロール１０から引き出すことによって大径ギヤ２１が回転され、これに噛み合っている小径ギヤ２６を介して回転軸２５が回転されてゼンマイ２３が巻き上げられてゼンマイ２３に回転力が畜力される。ゼンマイ２３に畜力された回転力は回転軸２５、小径ギヤ２６及び大径ギヤ２１を介してテープホルダ１８をテープの引き出し方向と逆方向に回転付勢させ、テープロール１０から引き出されたテープをテープロール１０に巻き戻すように作用する。この作用によって、テープロール１０から引き出し過ぎてしまったテープがテープロール１０側に引き戻されて所定の寸法に正確に設定することが可能となる。
【００２２】
その後、図１１に示すように、テープガイド２９とテープを切断機構３２へ押圧させるように時針廻り方向へ回動させると、前押え板３５と後押え板３６及び中央押え板３７とが２つの切断刃３３、３４の前後でテープガイド２９の下面との間でテープを狭持して、更にテープガイド２９を時針廻り方向へ回動させることにより各押え板の間３５、３６、３７で切断刃３３、３４がテープガイド２９の逃げ凹部４１、４２内に進入することによってテープが切断される。このとき、ガイドホルダ３０の作動片４３が揺動アーム１７の係合ピン４４と係合して揺動アーム１７を時針廻り方向に回動させて大径ギヤ２１を小径ギヤ２６から離反させる。小径ギヤ２６から大径ギヤ２１が離れることによって小径ギヤ２６が空転しゼンマイ２３に畜力された回転力が放出される。即ち、テープロール１０から引き出したテープを切断すると同時に小径ギヤ２６、大径ギヤ２１を介してテープホルダ１８に作用されていたテープを巻き戻す方向の回転付勢力が解除される。
【００２３】
テープロール１０から引き出されたテープの切断後の切断端は、後押え板３６の上端面に貼付されてテープロール１０との間に張設される。このときテープホルダ１０の回転付勢力が解除されているのでテープの引き戻し力によってテープ端Ｐ１がテープロール１０側に引き戻されてしまうことがない。テープロール１０から引き出されているテープの切断によって形成された新しいテープ端Ｐ１と所定長さで切り取られたテープ片Ｐとの間には切り屑Ｐ２が発生し、この切り屑Ｐ２は中央押え板３７の上面に貼付され、テープの切断を繰り返すことにより中央押え板３７の上面に積層した状態で堆積するが、ガイドホルダ３０を上方に回動させることによってテープガイド２９が上方に回動できるので容易に除去することができる。
【００２４】
上記実施例のテープカッターには、上記テープをテープロール１０側へ引き戻す付勢力を有効または無効に切り替えるための切換機構４９が形成されている。図１２及び図１３に示すように切換機構４９は、一方の側板の外側に配置される切換レバー５０と、該切換レバー５０を前記側板１４に対して回動可能に支持しているカム軸５１及びこのカム軸５１の端部に形成されている前記揺動アーム１７の中央下面と当接可能なカム５２により構成されている。切換レバー５０が図１３に示す第一の位置に回動されている状態では前記カム５２が揺動アーム１７と当接せず、引張りバネ２８によって付勢されている揺動アーム１７の一端に取り付けられているテープホルダ１８に形成された大径ギヤ２１が小径ギヤ２６と噛み合い可能にされている。切換レバー５０を図１４に示すように第二の位置に回動したときには、カム軸５１の先端のカム５２が揺動アーム１７の中央下面と当接して揺動アーム１７を図中時針廻り方向回動させて前記大径ギヤ２１と小径ギヤ２６を離反状態に維持させて、テープの引き戻し作用が無効にされる。
【００２５】
次に、図１５及び図１６に示す本発明の他の実施例にかかるテープカッターについて説明する。なお、前述の実施例と同一の部材及び機構については同一の符号を付すとともに詳細な説明は省略する。この実施例によるテープカッターでは、両側板１４間に架設されている支軸１６によって中央部が回動自在に支持されている揺動アーム５３の後方に延びたアーム部５３ａに大径ギヤ２１を形成したテープホルダ１８を回転自在に支持させ、更に該揺動アーム５３に前方に延びたアーム部５３ｂを一体に形成して該アーム部５３ｂの前端部にテープロール１０から引き出したテープを切断するための切断刃５４を取り付けて構成している。上記揺動アーム５３はアーム部５３ａの端部に作用している引張りバネ２８によって前記支軸１６を中心として反時針廻り方向に回動付勢されており、これによってテープホルダ１８に形成した大径ギヤ２１がゼンマイ２３に連結された小径ギヤ２６と噛み合わせられている。
【００２６】
従って、テープをテープロール１０から引き出す際のテープホルダ１８の回転により大径ギヤ２１、小径ギヤ２１を介してゼンマイ２３に回転力が畜力されて、このゼンマイ２３に畜力された回転力によってテープをテープロール１０に引き戻す回動付勢力が発生するようにされている。テープロール１０から引き出されたテープを切断する際に揺動アーム５３の前方に延びたアーム部５３ｂに取り付けた切断刃５４がテープによって下方向に押圧されることによって、揺動アーム５３が支軸１６を中心として時針廻り方向に回動されて大径ギヤ２１が小径ギヤ２６と離反され、テープをテープロール１０へ引き戻すゼンマイに畜力された回転付勢力が解除されるようにしている。
【００２７】
なお、この実施例においては、テープを切断する切断刃５４は通常のテープカッターで使用されている切断刃と同様に金属製の薄板片の端縁に刃先を形成したもので、テープをこの刃先に押圧させることによって切断されるようにしているが、切断刃５４の刃先をテープガイド２９の下面に押圧させることによってて切断刃５４とテープガイド２９との間に狭持したテープを切断するようにしても良い。
【００２８】
【発明の効果】
上記のように本発明のテープカッターによれば、揺動アームの一端にテープロールが装着されるテープホルダを回動可能に設けるとともに前記テープホルダに大径ギヤを一体に形成し、この大径ギヤを回転力蓄力手段に連結された小径ギヤとかみ合い係合させ、前記テープロールからテープを引き出す際に前記回転蓄力手段に回転力が畜力されて、この回転力によってテープホルダがテープ巻き戻し向に回転付勢されるので、粘着テープ等を引き出す際に余分に引き出してしまった場合にもテープ端がテープロール側に引き戻されるので、正確に引き出し長さを調整設定することができ、テープ片を所定長さに容易に形成することができる。また、テープの引き出し時に抵抗を全く伴わない包装用テープ等を所定長さに切断する際にも、テープの端部がテープロール側へ引き戻されるようにテンションがかかるのでテープが弛んでしまうことが無く、テープが切断機構部から逸脱して切断できなくなってしまうことが防止できる。
【００２９】
また、テープ引き出し時に蓄力したテープホルダの回転付勢力を、テープ切断操作により前記揺動アームを前記バネ付勢力に抗して回動させて前記大径ギヤと小径ギヤとを離反させるように構成しているので、切断後のテープ端がテープロールへ引き戻されてしまうことが無く、確実に所定の位置に保持させることができる。
【００３０】
更に、請求項２の発明によれば、一対の切断刃をテープの引き出し方向に沿って間隔を隔てて配置し、該切断刃の前後及び両切断刃の間に上端面が前記切断刃より上方まで突出するように付勢された押え板を各々独立して摺動可能に配置しているので、前記一対の切断刃の形状を任意に形成することによりテープの切断端縁の形状を任意の形状に形成でき、包装用のテープやリボン、またはテフロン(登録商標)テープ等の商品に貼付するテープを美麗に形成でき、貼付したテープ片の角張った角部がめくれて剥がれ易くなることが防止できる。
【００３１】
更に請求項３の発明によれば、揺動アームに支持されているテープホルダに形成された大径ギヤと回転蓄力手段に連携された小径ギヤとが離反した状態に維持されるように、前記揺動アームを前記バネ付勢力に抗して回動した状態に維持させる切換機構を設けているので、テープ端の引き戻し作用が不要な場合には、この切換機構により引き戻し作用を無効に設定することができ、テープカッターを多様に使用することができる。
【図面の簡単な説明】
【図１】本発明の実施例にかかるテープカッターの斜視図
【図２】図１と同じテープカッターの反対側の側面の斜視図
【図３】図１と同じテープカッターの一方の側板を除去した状態の側面図
【図４】図１と同じテープカッターの平面図
【図５】図３におけるＡ−Ａ線上の断面図。
【図６】本実施例のテープカッターで切断されたテープの平面図
【図７】図１と同じテープカッターの切断機後部の横断平面図
【図８】図７と同じ切断機後部の縦断側面図
【図９】テープを切断した状態の図８と同じ切断機後部の縦断側面図
【図１０】図４におけるＣ−ＣＡ線上の断面図
【図１１】テープを切断した状態の図３と同じ側面図
【図１２】図３におけるＢ−Ｂ線上の断面図
【図１３】切換機構が引き戻し作用を有効に設定された状態を示す（ａ）縦断正面図と、（ｂ）側面図
【図１４】切換機構が引き戻し作用を無効に設定された状態を示す（ａ）縦断正面図と、（ｂ）側面図
【図１５】本発明の他の実施例にかかるテープカッターを示す一方の側板を除去して示す側面図
【図１６】図１４と同じ他の実施例にかかるテープカッターの平面図
【符号の説明】
１０  テープロール
１６  支軸
１７  揺動アーム
１８  テープホルダ
２１  大径ギヤ
２２  回転蓄力手段
２６  小径ギヤ
２９  テープガイド
３０  ガイドホルダ
３２  切断機構
３３、３４  切断刃
４３  作動片
４４  係合ピン
４９  切換機構
【図１】
2004189444.tif 000003
【図２】
2004189444.tif 000004
【図３】
2004189444.tif 000005
【図４】
2004189444.tif 000006
【図５】
2004189444.tif 000007
【図６】
2004189444.tif 000008
【図７】
2004189444.tif 000009
【図８】
2004189444.tif 000010
【図９】
2004189444.tif 000011
【図１０】
2004189444.tif 000012
【図１１】
2004189444.tif 000013
【図１２】
2004189444.tif 000014
【図１３】
2004189444.tif 000015
【図１４】
2004189444.tif 000016
【図１５】
2004189444.tif 000017
【図１６】
2004189444.tif 000018